(57)【要約】【課題】  従来の再生紙は、すべての利用に応じられるようにするため、再生紙でも古紙を混入しない用紙と同等の品質を求められ、制作に苦慮していたし、使用済み再生紙のリサイクル、機密保持等について一体として提供する仕組みが整備されておらず、再生紙の制作は、古紙の市場に左右されるなど、安価かつ安定して制作する環境整備が不十分であるなどの問題があった。【解決手段】  再生紙において、用途をパソコン等事務機器で作成する文書の下書き及び試し刷りに限定し、使用済みの再生紙は封緘紙で封印した通関箱で回収して裁断又は溶解することにより再生紙のリサイクル並びに下書きした文書及び試し刷りした文書の機密保持を可能にし、再生紙の下部等適宜な場所に提供内容表示場所を設置した場所を広告として利用させることにより、広告料を制作費に充当できるため、制作費用を抑えることができる。【選択図】図１
2009215687.tif 000002
【特許請求の範囲】
【請求項１】
再生紙において、用途をパソコン等事務機器で作成する文書の下書き及び試し刷りに限定し、使用済みの再生紙は、納入した箱を通関箱として使用し、通関箱に使用済み再生紙を格納するときは、使用済みの再生紙の印字又は印刷に使用した色及び素材ごとに分別して同一種類ごとに格納し、その内容を通関箱及び紙（「作業等記録紙」という。以下同じ。）に記載し、使用済み再生紙の機密保持のため通関箱を封緘紙で封印し、回収して裁断又は溶解（「溶解等」という。以下同じ。）することにより再生紙のリサイクル並びに下書きした文書及び試し刷りした文書の機密保持を可能にし、回収した再生紙を溶解等したときはその内容を作業等記録紙に記載して保存し、作業等記録紙に記載した内容は電子メール及びインターネットを使用して利用者に連絡するという上述の流れを一体の業務とする仕組みを構築し、この仕組みについて再生紙の利用者の理解と協力を得るため、再生紙の下部等適宜な場所にこの仕組みの説明及び理解と協力を得たい事項を表示（「提供内容表示場所」という。以下同じ。）することを特徴とする下書き及び試し刷り用再生紙
【請求項２】
請求項１記載における提供内容表示場所は、再生紙の制作費用の一部又は全部を負担する企業又は団体等（「制作費用負担企業等」という。以下同じ。）の広告場所としても使用できることとし、この場合は作業等記録紙に記載した内容を制作費用負担企業等に対しても連絡することを特徴とする下書き及び試し刷り用再生紙
【発明の詳細な説明】
【技術分野】
【０００１】    本発明は、事務用品に関する分野のうち、パソコン等事務機器で作成する文書に使用する再生紙に関するものである。
【背景技術】
【０００２】    従来の再生紙は、古紙を混入することにより、リサイクルを行うことで地球温暖化防止及びエコロジーに貢献していた。
【発明の開示】
【発明が解決しようとする課題】
【０００３】    しかしながら、従来の再生紙には、以下に示す問題点がある。【０００４】    従来の再生紙は、すべての利用に応じられるようにするため、再生紙でも古紙を混入しない用紙と同等の品質を求められ、制作に苦慮していた。【０００５】    再生紙の使用、回収、リサイクルを一体として提供する仕組みが整備されていなかったため、効率的にリサイクルすることが困難だった。【０００６】    再生紙は、使用後の文書の機密保持についての配慮が十分でないため、利用者の理解を得て効率的に回収することが困難であった。【０００７】    再生紙の制作は、古紙の市場に左右されるなど、安価かつ安定して制作する環境整備が不十分であった。【０００８】    そこで、本発明は、上述した問題点に鑑みてなされたものであり、その目的とするところは、古紙を混入しない用紙と同等の品質を求められ、制作に苦慮していた状況を改善すること、使用済み再生紙の回収に当たっては、再生紙のリサイクル及び機密保持について効果的で効率的な方法に改善すること、再生紙を安価に制作できる仕組みを構築することにより再生紙の利用を高めることを課題とする。
【課題を解決するための手段】
【０００９】    以上の課題を解決するため、請求項１は、再生紙において、用途をパソコン等事務機器で作成する文書の下書き及び試し刷りに限定し、使用済みの再生紙は、納入した箱を通関箱として使用し、通関箱に使用済み再生紙を格納するときは、使用済みの再生紙の印字又は印刷に使用した色及び素材ごとに分別して同一種類ごとに格納し、その内容を通関箱及び紙（「作業等記録紙」という。以下同じ。）に記載し、使用済み再生紙の機密保持のため通関箱を封緘紙で封印し、回収して裁断又は溶解（「溶解等」という。以下同じ。）することにより再生紙のリサイクル並びに下書きした文書及び試し刷りした文書の機密保持を可能にし、回収した再生紙を溶解等したときはその内容を作業等記録紙に記載して保存し、作業等記録紙に記載した内容は電子メール及びインターネットを使用して利用者に連絡するという上述の流れを一体の業務とする仕組みを構築し、この仕組みについて再生紙の利用者の理解と協力を得るため、再生紙の下部等適宜な場所にこの仕組みの説明及び理解と協力を得たい事項を表示（「提供内容表示場所」という。以下同じ。）することを特徴とする。【００１０】    以上の課題を解決するため、請求項２は、請求項１記載における提供内容表示場所は、再生紙の制作費用の一部又は全部を負担する企業又は団体等（「制作費用負担企業等」という。以下同じ。）の広告場所としても使用できることとし、この場合は作業等記録紙に記載した内容を制作費用負担企業等に対しても連絡することを特徴とする。
【発明の効果】
【００１１】    上述したように本発明の再生紙は、用途をパソコン等事務機器で作成する文書の下書き及び試し刷りに限定することにより、再生紙の品質は、用途を達成する程度に設定できるため、再生紙の制作に係る負担を緩和、軽減できる。【００１２】    また、使用済みの再生紙は、納入した箱を通関箱として使用し、通関箱に使用済み再生紙を格納するときは、使用済みの再生紙の印字又は印刷に使用した色及び素材ごとに分別して同一種類ごとに格納し、その内容を通関箱及び作業等記録紙に記載し、使用済み再生紙の機密保持のため通関箱を封緘紙で封印し、回収して溶解等し、その内容を作業等記録紙に記載して保存し、作業等記録紙に記載した内容は電子メール及びインターネットを使用して利用者に連絡する仕組みを構築することにより、再生紙のリサイクルを効率的に実施できるとともに下書きした文書及び試し刷りした文書の機密保持も同時にできるため、一石二鳥の効果が期待できる。【００１３】    更に、提供内容表示場所は、再生紙の利用者に再生紙の回収についての理解と協力を求める情報を表示するため、再生紙の回収を効率的、効果的に実施できる。【００１４】    そのうえ、再生紙の制作費用負担企業等が提供内容表示場所を広告場所としても使用した場合は、再生紙の制作費用を抑制して安価な価格で再生紙を提供できることに加え、作業等記録紙に記載の内容を制作費用負担企業等に連絡することにより、地球温暖化防止のため企業等に二酸化炭素等の削減目標が数値として定められたときは、制作費用負担企業等は数値目標達成に利用することができるし、再生紙のリサイクルに貢献している実績として社会に公表するなどの利用ができる。
【発明の実施するための最良の形態】
以下、本発明の実施形態を図１から図６までに基づいて説明する。
【００１５】    はじめに図１を参照して、本発明の実施例に係るパソコン等事務機器で作成する文書の下書き及び試し刷り用再生紙の構成について説明する。図１は、本発明の実施例に係る下書き及び試し刷り用再生紙の概念図である。このうち、符号１は下書き及び試し刷り用再生紙の例示、符号２は提供内容表示場所の例示、符号３は通関箱の例示、符号４は作業等記録紙の例示、符号５は封緘紙の例示である。
【実施例１】
【００１６】    図２は、本発明のパソコン等事務機器で作成する文書の下書き及び試し刷り用再生紙の例示である。提供内容表示場所を設置する場合は、図２のように通常は印字場所として使用しない用紙の左側下部に設置することによりページ番号や文字等の印字に支障が出ないようにすることができる。同様に、提供内容表示場所はページ番号の表示場所として通常使用される中央下部を避け、左右に分けて表示したり、使用する色を淡色にしたりすることにより、ページ番号や文字等の印字に支障が出ないようにすることができる。
【実施例２】
【００１７】    図３は、本発明における通関箱の実施例である。通関箱は、再生紙の納入に使用したものをそのまま利用してもいいし、合成樹脂を使用して組み立て式の構造にしたものを利用してもよい。通関箱に使用済みの再生紙を格納するときは、使用済みの再生紙の印字又は印刷に使用した色及び素材ごとに分別して同一種類ごとに通関箱に格納し、その内容を通関箱及び作業等記録紙に記載する。この場合、作業等記録紙を通関箱に容易に離脱したり剥離したりしないように添付できる場合は、通関箱への記載を省略してもよい。添付は、作業等記録紙を収納する用具を作成して使用してもよいし、接着剤等で貼付してもよい。
【実施例３】
【００１８】    図４は、本発明における作業等記録紙の実施例である。作業等記録紙は、使用済みの再生紙の印字又は印刷に使用した色及び素材ごとに分別して同一種類ごとに通関箱に格納した内容の記載及び回収した再生紙を溶解等したことの記載に使用し、保存する。使用済み再生紙を通関箱に格納した場合は、記載した作業等記録紙を通関箱に添付するほか、複写して利用者に控えを渡し、回収した再生紙を溶解等したときは溶解等の処理が終了したことを通関箱に添付の作業等記録紙に記載し、記載内容を電子メール及びインターネットを使用して利用者に連絡することができる。
【実施例４】
【００１９】    図５は、本発明における封緘紙の実施例である。通関箱を封緘紙で封印することにより、使用済み再生紙の機密を保持した状態で回収し、溶解等の作業を行うことができる。封緘紙は、白い紙を使用してもいいし、目立つように色紙を使用したり、更に封緘紙と印刷してもよく、封印する場所は通関箱の大きさ等により１箇所でもいいし、封緘紙の大きさも適宜でよい。
【実施例５】
【００２０】    図６は、本発明における収納庫の実施例である。通関箱を封緘紙で封印し、更に収納庫に収納することにより、使用済み再生紙の機密保持のための管理を強化することができるし、収納庫の下に車を取り付けることにより、台車が無くても運搬できる。
【図面の簡単な説明】
【００２１】
【図１】本発明の実施例に係る下書き及び試し刷り用再生紙の概念図である。
【図２】本発明の実施例に係る提供内容表示場所の例示である。
【図３】本発明の実施例に係る通関箱の例示である。
【図４】本発明の実施例に係る作業等記録紙の例示である。
【図５】本発明の実施例に係る封緘紙の例示である。
【図６】本発明の実施例に係る収納庫の例示である。
【符号の説明】
【００２３】  １  下書き及び試し刷り用再生紙
２  提供内容表示場所
３  通関箱
４  作業等記録紙
５  封緘紙
６  収納庫
【図１】
2009215687.tif 000003
【図２】
2009215687.tif 000004
【図３】
2009215687.tif 000005
【図４】
2009215687.tif 000006
【図５】
2009215687.tif 000007
【図６】
2009215687.tif 000008